(57)【要約】【課題】使い勝手を向上させたメガネ型デバイスの提供。【解決手段】レンズを支持するレンズ支持体と、ヒンジを介して前記レンズ支持体にそれぞれ取り付けられる２つのテンプルとを有するメガネ型デバイスであって、一方のテンプルに電源部を設け、他方のテンプルに操作手段を有する制御部を設け、前記電源部及び前記制御部が、２つのテンプルの耳掛け部よりヒンジ側に配置されていることにより、メガネ型デバイスの使い勝手を向上させる。  また、一方のテンプルのレンズ支持体側端部からそのテンプルの重心位置までの距離と、他方のテンプルのレンズ支持体側端部からそのテンプルの重心位置までの距離とを異ならせることにより、メガネ型デバイスの使い勝手を向上させる。【選択図】図１
2020027271.tif 000002
【特許請求の範囲】
【請求項１】
レンズを支持するレンズ支持体と、ヒンジを介して前記レンズ支持体にそれぞれ取り付けられる２つのテンプルとを有するメガネ型デバイスであって、
一方のテンプルに電源部を設け、他方のテンプルに操作手段を有する制御部を設け、
前記電源部及び前記制御部が、２つのテンプルの耳掛け部よりヒンジ側に配置されていることを特徴とするメガネ型デバイス。
【請求項２】
一方のテンプルに電源部を設け、他方のテンプルに制御部を設け、
更に、前記電源部と前記制御部を電気的に接続するための第一の導電手段と、前記制御部とレンズ部とを電気的に接続するための第二の導電手段とを設けた請求項１に記載のメガネ型デバイス。
【請求項３】
一方のテンプルのレンズ支持体側端部から前記一方のテンプルの重心位置までの距離と、他方のテンプルのレンズ支持体側端部から前記他方のテンプルの重心位置までの距離を異ならせた請求項１に記載のメガネ型デバイス。
【請求項４】
無線給電により受電する請求項１から３のいずれかに記載のメガネ型デバイス。
【請求項５】
２つのテンプルのうち、右テンプルに電源部を設け、左テンプルに制御部を設ける請求項１から４のいずれかに記載のメガネ型デバイス。
【請求項６】
２つのテンプルのうち、右テンプルに制御部を設け、左テンプルに電源部を設ける請求項１から４のいずれかに記載のメガネ型デバイス。
【請求項７】
前記耳掛け部が形状を変更可能である請求項１から６のいずれかに記載のメガネ型デバイス。
【請求項８】
請求項２に記載のメガネ型デバイスを充電可能な充電器であって、
前記テンプルの前記電源部に設けられた受電コイルに対して無線送電可能な送電コイルと、
前記受電コイルが設けられている前記テンプルの形状に沿って前記テンプルと係合する係合部と、
を有することを特徴とする充電器。
【発明の詳細な説明】
【技術分野】
【０００１】
本発明は、メガネ型デバイス及びメガネ型デバイスの充電器に関する。
【背景技術】
【０００２】
近年、身体に装着して利用することが想定されたウェアラブルデバイスの中でも、メガネ型デバイスの研究・開発が盛んに行われている。
【０００３】
例えば、メガネフレームにパーソナルオーディオ装置が装着されたメガネ型デバイスが提案されている（例えば、特許文献１参照）。また、表示オブジェクトを表示することが可能な表示面を、ユーザの両目の前に位置するように配置したメガネ型デバイスが提案されている（例えば、特許文献２参照）。生体情報を検出する生体センサを組み込んだセンサノードをメガネフレームに装着したメガネ型デバイスが提案されている（例えば、特許文献３参照）。
【０００４】
更に、電圧の印加及び除去によって、電気活性材料（エレクトロクロミック材料、液晶材料など）の状態を変化させる電圧印加型のメガネ型デバイスも提案されている（例えば、特許文献４〜５参照）。
例えば、特許文献４には、エレクトロクロミック素子をレンズとして用い、エレクトロクロミック素子に印加する電圧に応じて発色濃度を変化させ、光量を調整する調光メガネが記載されている。
また、特許文献５には、電圧の印加及び除去によって、電気活性材料（例えば、液晶材料）の屈折率を変更させ、屈折力の変更、調整を可能としたレンズを有する電気活性メガネが記載されている。
【発明の概要】
【発明が解決しようとする課題】
【０００５】
本発明は、使い勝手を向上させたメガネ型デバイスを提供することを目的とする。
【課題を解決するための手段】
【０００６】
上記課題を解決するための手段としての本発明のメガネ型デバイスは、
レンズを支持するレンズ支持体と、ヒンジを介して前記レンズ支持体にそれぞれ取り付けられる２つのテンプルとを有するメガネ型デバイスであって、
一方のテンプルに電源部を設け、他方のテンプルに操作手段を有する制御部を設け、
前記電源部及び前記制御部が、２つのテンプルの耳掛け部よりヒンジ側に配置されていることを特徴とする。
また、一方のテンプルに電源部を設け、他方のテンプルに制御部を設け、
更に、前記電源部と前記制御部を電気的に接続するための第一の導電手段と、操作部とレンズ部とを電気的に接続するための第二の導電手段とを設けたことが好ましい。
そして、一方のテンプルのレンズ支持体側端部からそのテンプルの重心位置までの距離と、他方のテンプルのレンズ支持体側端部からそのテンプルの重心位置までの距離を異ならせたことが好ましい。
更に、メガネ型デバイスを充電可能な充電器であって、
テンプルの電源部に設けられた受電コイルに対して無線送電可能な送電コイルと、前記受電コイルが設けられている前記テンプルの形状に沿ってテンプルと係合する係合部と、
を有することを特徴とする。
【発明の効果】
【０００７】
本発明によると、使い勝手を向上させたメガネ型デバイスを提供することができる。
【図面の簡単な説明】
【０００８】
【図１】図１は、メガネ型デバイスの一例を示す分解立体図である。
【図２Ａ】図２Ａは、右テンプルの一例を示す分解立体図である。
【図２Ｂ】図２Ｂは、右テンプルの一例を示す分解側面図である。
【図３】図３は、電池保護回路の一例を示す回路図である。
【図４Ａ】図４Ａは、左テンプルの一例を示す分解立体図である。
【図４Ｂ】図４Ｂは、図４Ａの視点を変えたときの左テンプルの一例を示す分解立体図である。
【図４Ｃ】図４Ｃは、左テンプルの一例を示す分解側面図である。
【図５Ａ】図５Ａは、前リム、ＥＣレンズ、フレキシブル基板、及び後リムの一例を示す分解立体図である。
【図５Ｂ】図５Ｂは、ＥＣレンズとフレキシブル基板との間に配置される導電性ゴムの一例を示す分解立体図である。
【図５Ｃ】図５Ｃは、フレキシブル基板の一方の面に配置されている制御ライン及び導通部の一例を示す概略正面図である。
【図５Ｄ】図５Ｄは、フレキシブル基板の他方の面に配置されている電源ラインの一例を示す概略裏面図である。
【図６Ａ】図６Ａは、ＥＣレンズの一例を示す概略正面図である。
【図６Ｂ】図６Ｂは、図６Ａ中のＥＣレンズにおけるＡ−Ａ線の断面の一例を示す概略断面図である。
【図７】図７は、ＥＣレンズにおける酸化極及び還元極の位置の一例を示す概略正面図である。
【図８】図８は、メガネ型デバイスにおける各部位との電気的な接続の一例を示す接続図である。
【図９Ａ】図９Ａは、充電時に充電器に係合された右テンプルの一例を示す斜視図である。
【図９Ｂ】図９Ｂは、図９Ａの視点を変えたときの右テンプルの一例を示す斜視図である。
【図９Ｃ】図９Ｃは、右テンプルの一例を示す概略上面図である。
【図１０】図１０は、メガネ型デバイスが鼻部支点、右耳支点、左耳支点の３点で顔面上に支持されることを示す図である。
【図１１】図１１は、メガネ型デバイスの重心位置が重心Ａの場合、重心位置が重心Ｂの場合における３支点の重量配分を変更することを示す図である。
【図１２】図１２は、左テンプルに設けられた２つの調整操作ボタンの一例を示す図である。
【図１３】図１３は、タッチセンサーをテンプルの外側に配置した一例を示す図である。
【図１４】図１４は、メガネ型デバイスのテンプルの耳掛け部の形状を変更しやすい素材とした一例を示す図である。
【図１５】図１５は、メガネ型デバイスの左右のテンプルが開いた状態を示す図である。
【図１６】図１６は、右テンプルのほうが左テンプルよりも後に畳まれた状態を示す図である。
【図１７】図１７は、左右のテンプルを畳んだ状態を示す図である。
【図１８】図１８は、左テンプルのほうが右テンプルよりも後に畳まれた状態を示す図である。
【図１９】図１９は、無線給電用のコイルの代わりにＵＳＢコネクタを配置した図である。
【図２０】図２０は、充電器をメガネ型デバイスのテンプルに係合した状態における充電器上面を示す図である。
【図２１】図２１は、充電器をメガネ型デバイスのテンプルに係合した状態における充電器下面を示す図である。
【発明を実施するための形態】
【０００９】
メガネ型デバイスなどのウェアラブルデバイスであれば、電源が必要である。
この電源は、乾電池やアルカリ乾電池、ボタン電池等の一次電池を利用することができる。また、メガネ型デバイスなどのウェアラブルデバイスの場合、長期間交換せずに繰り返し充電できる二次電池を電源に採用することも有用である。
したがって、本発明の実施例において、メガネ型デバイスなどのウェアラブルデバイスの電源は、乾電池やアルカリ乾電池、ボタン電池等の一次電池であってもよいし、充電可能な二次電池であってもよい。
【００１０】
二次電池の充電は、異物が入り込みやすいコネクタを用いずに、送電コイル及び受電コイルを用いた電磁誘導によるワイヤレス給電により簡単で効率よく行う態様が好ましい。
しかし、小型で安価な充電器を用い、効率よく効果的に充電できる、実用的なメガネ型デバイスを提供するという観点からは、従来のメガネ型デバイスでは、十分満足のいくものは得られていない。
【００１１】
例えば、上記特許文献５の図１４〜図１６には、電気活性メガネを充電する充電器が記載されている。係る充電器には、左右のテンプルにそれぞれ配置された２つの電子ユニットに対応して、充電領域（充電クレードル）が２箇所設けられている。また、充電器には充電領域を移動可能にする移動可能アームが配されている。
【００１２】
ワイヤレス給電を効率よく機能させるには、送電コイルの中心と受電コイルの中心を合わせるとともに、コイル間の距離を短くする必要があるため、送電コイルと受電コイルの正確な位置合わせが不可欠となる。この点、上記特許文献５に記載の充電器では、ユーザの顔の大きさに応じてメガネのサイズも異なる場合があるため、正確な位置合わせを図るには十分ではない。また、左右２つのテンプルにそれぞれ受電コイルを設けると、充電器側にも左右２つの送電コイルを設けなければならず、充電器の筐体も大きくなりやすい。
このため、従来のメガネ型デバイスでは、充電器のサイズが大きくなりやすく、かつ充電器の部品点数が多くなり高価になるとともに、左右２つの送受電コイル対の位置合わせを正確に行うことが困難な場合があった。
【００１３】
そこで、本発明実施例のメガネ型デバイスでは、２つのテンプルのいずれか１つに受電コイルを有する電源部を配置することにより、充電器のサイズを小さくでき、かつ部品点数を少なくすることができるため、小型で安価な充電器にすることができる。
【００１４】
また、本発明実施例のメガネ型デバイスでは、テンプルの形状に沿ってテンプルと係合する係合部を充電器に設けることにより、受電コイルが配置されているテンプルの形状に合わせて充電器と係合させることが可能になり、正確な位置合わせができ、効率よく充電することができる。
【００１５】
更に、本発明実施例のメガネ型デバイスでは、一方のテンプルに乾電池、アルカリ乾電池、ボタン電池などの一次電池、もしくは、充電可能な二次電池を備える電源部を設け、他方のテンプルに操作ボタン、等の操作手段を有する制御ユニットなどを備える制御部を設けている。このようなメガネ型デバイスでは、左右の重量バランスを調節することがメガネ型デバイスの使い勝手を向上させることになる。
【００１６】
他の本発明実施例のメガネ型デバイスでは、一方のテンプルに受電コイル、二次電池、電池保護回路などを備える電源部を設け、他方のテンプルに操作ボタン、制御ユニットなどを備える制御部を設けている。このようなメガネ型デバイスでも、左右の重量バランスを調節することがメガネ型デバイスの使い勝手を向上させることになる。そして、本発明実施例のメガネ型デバイスは、一方のテンプルにおいて比較的重量がある受電コイルをヒンジから離間した位置に設け、他方のテンプルにおいては比較的重量がある操作部をヒンジ近傍の位置に配置するようにする。つまり、電源部の重心位置と制御部の重心位置を、リムの幅方向（長手方向）に対して直交しリムの中央を通過する直線に対して非対称とするようにする。換言すれば、一方のテンプルのレンズ支持体側端部からそのテンプルの重心位置までの距離と、他方のテンプルのレンズ支持体側端部からそのテンプルの重心位置までの距離を異ならせている。
【００１７】
より具体的には、電源部を有するテンプルのレンズ支持体側端部からそのテンプルの重心位置までの距離は、制御部を有するテンプルのレンズ支持体側端部からそのテンプルの重心位置までの距離より長く設定している。
また、二次電池の容量を大きくしたような場合には、二次電池の重量が増加するので、電源部を有するテンプルの重心位置がレンズ支持体側に近いレイアウトになる場合もある。この場合、電源部を有するテンプルのレンズ支持体側端部からそのテンプルの重心位置までの距離は、制御部を有するテンプルのレンズ支持体側端部からそのテンプルの重心位置までの距離より短くなる。
これにより、本発明実施例のメガネ型デバイスは、鼻パッド部(クリングス部)及び耳掛け部（モダン、先セル）のいずれか一方のみにメガネ型デバイスの荷重が極端にかかるという状態を抑制したり、ユーザの好みの重量バランスを提供したりすることができる。このため、荷重を分散させたことで、使い勝手や掛け心地が向上し、ユーザがメガネ型デバイスを長時間装着しても快適に過ごすことができる。
【００１８】
なお、左右のテンプルの重量バランスを非対称にする実施例を説明したが、ユーザによっては、左右のテンプルの重量バランスを対称にすることを好む場合がある。そのような場合は、二次電池の重量を調節したり、二次電池や受電コイルの位置を調節したりして、左右のテンプルの重量バランスを対称にすればよい。
具体的には、二次電池の重量を調節したり、二次電池や受電コイルの位置を調節したり、バラスト(錘)を配置したりして、電源部を有するテンプルのレンズ支持体側端部からそのテンプルの重心位置までの距離と、制御部を有するテンプルのレンズ支持体側端部からそのテンプルの重心位置までの距離を同じにしたメガネ型デバイスにすることもできる。
【００１９】
図１０に示すように、通常、メガネ型デバイス１００は３点により顔面上に支持される。それぞれ鼻部支点、右耳支点、左耳支点にメガネ型デバイスの重量が配分される。
例えば、図１１に示すように、重心位置が重心Ａの場合には、鼻部支点：右耳支点：左耳支点が５０：２５：２５に配分されとすると、鼻部に荷重が多く配分される。
一方、図１１に示すように、重心位置が重心Ｂの場合であれば、例えば、３支点の重量配分を変えることが可能である。重心Ｂにするためには、電源ユニット（右テンプル）の重量を制御部より重くした上に、重心位置を鼻側にすることで容易に重量配分を変えることが可能である。
このように配分を左右のテンプルに配置された電源ユニットと制御ユニットの重量やユニットの重心を任意に配置して上記の３支点の荷重配分を任意に設定できる。
例えば、電源・制御ユニットの重心を変化させればＸ軸の移動となり、電源・制御ユニットの重量を変えればＹ軸の移動となる。
【実施例】
【００２０】
以下、本発明の実施例を説明するが、本発明は、これらの実施例に何ら限定されるものではない。
また、下記構成部材の数、位置、形状等は本実施の形態に限定されず、本発明を実施する上で好ましい数、位置、形状等にすることができる。
【００２１】
なお、実施例では、エレクトロクロミック素子を用いたレンズを使用し、レンズの光の透過率を変化させてサングラスのように使用することができるメガネ型デバイスについて説明する。また、以下では、エレクトロクロミック素子を用いたレンズを「ＥＣレンズ」と称することがある。
【００２２】
（メガネ型デバイス）
図１は、メガネ型デバイスの一例を示す分解立体図である。
図１に示すように、メガネ型デバイス１００は、右テンプル１１０と、左テンプル１２０と、前リム１３０と、ＥＣレンズ１４０と、フレキシブル基板１５０と、後リム１６０とを有する。なお、以下では、前リム１３０及び後リム１６０の少なくともいずれかを単に「リム」あるいは「レンズ支持体」と称することもある。
【００２３】
右テンプル１１０及び左テンプル１２０は、ヒンジＨ（ＨＲ１、ＨＲ２、ＨＬ１及びＨＬ２）を介して前リム１３０の両端部にそれぞれ取り付けられる。
【００２４】
右テンプル１１０には、ワイヤレス給電を受ける電源部としての電源ユニット１１２が設けられている。また、左テンプル１２０には、電源スイッチをオンオフさせるための操作ボタン、メガネの光透過率を調整する調整操作ボタン、及び、メガネレンズ部の光透過率を制御するための制御ユニット１２２からなる制御部が設けられている。この制御部には、操作ボタン、調整操作ボタン、等の操作手段が設けられている。制御部と電源部とを別々のテンプルの耳掛け部よりヒンジ側に配置することにより、メガネ型デバイス１００の左右の重量バランスを調節しやすくなる。その結果、左右のいずれかの鼻パッド部及び耳掛け部にメガネ型デバイスの荷重を極端にかかりにくくなり、使い勝手や掛け心地を向上させることができる。そして、本実施例のメガネ型デバイス１００は、電源ユニット１１２の受電コイルをヒンジから離間した位置に、制御ユニット１２２の操作部をヒンジ近傍に配置する。これにより、メガネ型デバイス１００では、電源ユニット１１２の重心位置と制御ユニット１２２の重心位置を、リムの幅方向（長手方向）に対して直交しリムの中央を通過する直線に対して非対称とする。すると、本発明のメガネ型デバイスは、鼻パッド部(クリングス部)及び耳掛け部（モダン、先セル）のいずれか一方のみにメガネ型デバイスの荷重が極端にかかるという状態を抑制することができる。そして、荷重を分散させたことで、掛け心地が向上し、ユーザがメガネ型デバイス１００を長時間装着しても快適に過ごすことができる。
【００２５】
電源ユニット１１２、制御ユニット１２２、及びＥＣレンズ１４０は、フレキシブル基板１５０を介して電気的に接続されている。電源ユニット１１２は、制御ユニット１２２に電力を供給する。
【００２６】
制御ユニット１２２は、詳細は後述するが、電源ユニット１１２との接続をＯＮ／ＯＦＦすることができる操作可能な電源スイッチを備えている。また、制御ユニット１２２は、ＥＣレンズ１４０に印加する電圧を変化させてＥＣレンズ１４０の光の透過率を調整できる２つの調整操作ボタン等の操作手段を備えている。制御ユニット１２２は、ユーザにより、操作部としてのボタンを押下されることによりＥＣレンズ１４０の光の透過率を変化させる。
【００２７】
図１２は、左テンプル１２０に設けられた２つの調整操作ボタンの一例を示す図である。
ここでは、２つの調整操作ボタンを示しているが、例えば、操作部が１つでも制御部の制御方法によりワンプッシュなら発色、長押しなら徐々に濃度が変化（濃度上昇≧濃度上限≧濃度減少≧濃度下限）などの操作ができるようにすることも可能である。
また、２つの調整操作ボタンを用意する場合には、ユーザがどちらのボタンか判るように指先で認識できる形状とすることができ、例えば、図１２中１２３ａは平坦な形状のボタンである。また、図１２中１２３ｂのような波型の形状をしたボタンとすることで調整操作ボタンの認識が容易になる。
【００２８】
なお、本実施例では、操作部としてボタンとしたが、これに限ることなく、例えば、スライドスイッチ、非接触スイッチなどにしてもよい。
例えば、非接触スイッチとしてはタッチセンサーなどの感知式の方式、例えば、静電誘導式のタッチセンサー１２５を図１３に示すように左テンプル１２０の外側に配置することによりボタンの代わりにすることが可能である。
ここでは、左テンプル１２０の外側に配置したが、例えば、フレームの操作しやすいところに設けてもよい。
【００２９】
なお、ユーザの顔の形状に応じてメガネとしてフィッティングする目的で、耳掛け部の形状を変更しやすい素材で形成する場合がある。このため、硬い電子部品を有する各ユニットをテンプルの耳掛け部の位置に配置してしまうと耳掛け部の形状が変更しにくくなりメガネとして適さない。また、耳掛け部にスイッチやボタンなどを配置してもユーザが操作しにくい。これらの理由により、本実施例のメガネ型デバイスでは、各ユニットが左右のテンプルのヒンジ側に埋設されている。
【００３０】
なお、ユーザの顔や耳の形状に応じてメガネとしてフィッティングする目的で、図１４に示すように、耳掛け部１１１ａ、１２１ａの形状を変更しやすい素材、例えば、ゴムやラバーや粘りのある金属(軟鋼等)で形成する場合がある。
このため、硬い電子部品を有する各ユニットをテンプルの耳掛け部１１１ａ、１２１ａの位置に配置してしまうと耳掛け部の変形がしにくくなり使用者に合わせた調整が困難となる。
また、耳掛け部１１１ａ、１２１ａにスイッチやボタンなどを配置してもユーザが操作しにくい。
これらの理由により、本実施例のメガネ型デバイスでは、各ユニットが左右のテンプルの耳掛け部のヒンジ側に埋設されている。
【００３１】
また、通常のメガネは、図１５に示す左右のテンプルが開いた状態から、テンプルをヒンジから折り曲げて畳むときに、右テンプル１１０のほうが左テンプル１２０よりも後に畳まれる（図１６参照）。このようにして本実施例のメガネ型デバイスの左右のテンプルを畳み（図１７参照）、ＥＣレンズ１４０を上にして置くと、右テンプル１１０のほうが左テンプル１２０よりも下に位置する。このため、ワイヤレス給電の電源ユニットを右テンプル側に設けることにより、充電時に電源ユニットの受電コイルと充電器の送電コイルとの間に左テンプルの耳掛け部が物理的に充電を阻害することがないため、充電の作業がしやすくなる。
【００３２】
上記の理由により、本実施例では、右テンプル１１０には電源ユニットが配置され、左テンプル１２０には制御ユニットが配置されるようにしたが、これに限ることなく、左右を逆とした態様としてもよい（図１８参照）。
また、電源ユニット及び制御ユニットは、それぞれユニットという態様としたが、これに限ることなく、例えば、部材を個別に構成して配置する態様としてもよい。
【００３３】
＜＜右テンプル＞＞
図２Ａは、右テンプルの一例を示す分解立体図である。図２Ｂは、右テンプルの一例を示す分解側面図である。
右テンプル１１０は、右テンプル基体１１１と、右テンプル基体１１１のヒンジＨＲ１側に埋設されている電源ユニット１１２と、電源ユニット１１２を覆うように右テンプル基体１１１にネジ止めされる右テンプル蓋１１３とを有する。
すなわち、電源ユニット１１２は、右テンプルの内側（メガネ型デバイス装着時の人体側）から外側に向けて右テンプル蓋１１３と共にネジ止めされているので、右テンプルの外側には何も存在しておらず見栄えが良い。しかし、逆に、右テンプルの外側（メガネ型デバイス装着時の外側）から内側に向けて右テンプル蓋１１３と共にネジ止めしてもよい。
【００３４】
−電源ユニット−
電源ユニット１１２は、後述する充電器からの無線送電により充電することができ、後述する左テンプル１２０に配置されている制御ユニット１２２に対して安定した電力を供給する。
電源ユニット１１２は、回路基板１１２ａと、二次電池１１２ｂと、受電コイル１１２ｃとを有する。
【００３５】
回路基板１１２ａは、右テンプル基体１１１に埋設できるように長方形の形状を有する。
回路基板１１２ａには、ヒンジＨＲ１側近傍に二次電池１１２ｂが配置され、二次電池１１２ｂよりもヒンジＨＲ１から離間した位置に受電コイル１１２ｃが配置されている。
また、回路基板１１２ａには、電池保護回路１１２ｄが設けられている。
【００３６】
図３は、電池保護回路の一例を示す回路図である。
電池保護回路１１２ｄは、二次電池１１２ｂの過充電、過放電、及び過電流を保護する。電池保護回路１１２ｄは、本実施例では、ＩＣ（Ｉｎｔｅｇｒａｔｅｄ  Ｃｉｒｃｕｉｔ）で形成されている。この電池保護回路１１２ｄは、電圧検知回路と、ＦＥＴ（Ｆｉｅｌｄ  Ｅｆｆｅｃｔ  Ｔｒａｎｓｉｓｔｏｒ）制御回路と、ＭＯＳＦＥＴ（Ｍｅｔａｌ  Ｏｘｉｄｅ  Ｓｅｍｉｃｏｎｄｕｃｔｏｒ  ＦＥＴ）とを有する。電圧検知回路は、二次電池１１２ｂにおける充電電圧又は放電電圧を検知した検知値をＦＥＴ制御回路に送出する。ＦＥＴ制御回路は、電圧検知回路の検知値と予め設定したしきい値とを比較した結果に応じて、充電制御信号又は放電制御信号をＭＯＳＦＥＴに送出し、ＭＯＳＦＥＴをＯＮ／ＯＦＦにスイッチング制御して二次電池１１２ｂを保護する。
なお、図３では、保護のためのＭＯＳＦＥＴをＧＮＤ側(ローサイド)としているが、Ｖ＋側(ハイサイド)としてもよい。
【００３７】
二次電池１１２ｂは、電池保護回路１１２ｄを介して回路基板１１２ａと電気的に接続されている。
二次電池１１２ｂとしては、例えば、リチウムイオン電池、ニッケルカドミウム電池等の任意の直流電源を用いることができる。二次電池１１２ｂは、ＥＣレンズ１４０にプラスマイナス数Ｖ程度の電圧を印加可能である。
【００３８】
受電コイル１１２ｃは、二次電池１１２ｂを充電するための電力を無線給電により受電する。受電コイル１１２ｃは、回路基板１１２ａと電気的に接続されている。
受電コイル１１２ｃは、右テンプル基体１１１に埋設されたときに、電源ユニット１１２のうち最も外側（メガネ型デバイス装着時の人体側とは反対側）に配置されている。これは、充電する際に、受電コイル１１２ｃと充電器の送電コイルとの間に基板などが存在して間隙が大きくなると、充電効率が低下するためである。
【００３９】
本実施例のメガネ型デバイスでは、受電コイル１１２ｃが二次電池１１２ｂよりも重いことから、受電コイル１１２ｃをヒンジから離間した位置にすることにより、電源ユニット１１２の重心をヒンジＨＲ１から離間した位置としている。
受電コイル１１２ｃをヒンジから離間した位置に配置するほうが、受電コイル１１２ｃをテンプルの端部近傍に配置するより、受電コイル１１２ｃ近傍のテンプルを係合しやすくなるので、受電コイル１１２ｃと送電コイルとの位置合わせを正確に行うことができる。受電コイル１１２ｃと充電器の送電コイルとの正確な位置合わせを行うことができることで、効率よく充電することができる。
【００４０】
なお、本実施例の無線給電方式は電磁誘導方式としたが、これに限ることなく、例えば、磁気共鳴方式などとしてもよい。
また、無接点給電ではなく有線による充電が必要な場合には電源ユニットにコネクタなどの接続部設けるか電源ユニットより充電用の外部コンタクト部に配線を行うなどの構造をとることにより、有線による充電が可能な構造をとることもできる。
例えば、図１９のように無線給電用のコイルの代わりにＵＳＢコネクタ１０１を配置し、通常のＵＳＢケーブルにて充電が可能な構成も取ることが可能である。
【００４１】
＜＜左テンプル＞＞
図４Ａは、左テンプルの一例を示す分解立体図である。図４Ｂは、図４Ａの視点を変えたときの左テンプルの一例を示す分解立体図である。図４Ｃは、左テンプルの一例を示す分解側面図である。
左テンプル１２０は、左テンプル基体１２１と、左テンプル基体１２１のヒンジＨＬ１側に埋設されている制御ユニット１２２と、制御ユニット１２２を覆うために左テンプル基体１２１にネジ止めされる左テンプル蓋１２４とを有する。
すなわち、制御ユニット１２２は、左テンプルの内側（メガネ型デバイス装着時の人体側）から外側に向けて左テンプル蓋１２４と共にネジ止めされているので、左テンプルの外側には何も存在しておらず見栄えが良い。しかし、逆に、左テンプルの外側（メガネ型デバイス１００をユーザが装着したときのテンプルの顔面側とは反対の側面側）から内側に向けて左テンプル蓋１２４と共にネジ止めしてもよい。
【００４２】
なお、本実施例では、左右いずれもテンプル基体にテンプル蓋をネジで止める方式としたが、これに限ることなく、例えば、嵌合つめ方式や防水機能を備えた方式などとしてもよい。
【００４３】
−制御ユニット−
制御ユニット１２２は、右テンプル１１０の電源ユニット１１２から電源ラインを介して供給される電圧により、ＥＣレンズ１４０の光の透過率を制御する。
【００４４】
制御ユニット１２２は、筐体としてのリブ構造体に設けられているフレキシブル基板１５０に、ＥＣレンズ１４０を駆動させるためのドライブ回路と、制御用ＣＰＵ（Ｃｅｎｔｒａｌ  Ｐｒｏｃｅｓｓｉｎｇ  Ｕｎｉｔ）とを備える。また、制御ユニット１２２は、リブ構造体に設けられているフレキシブル基板１５０と電気的に接続する操作部１２３を備える。
【００４５】
制御ユニット１２２のリブ構造体の形状は、左テンプル基体１２１に埋設できるように長方形の形状を有する。
制御ユニット１２２のリブ構造体には、ヒンジＨＬ１側近傍から順に、操作部としての第１のボタン１２３ａ及び第２のボタン１２３ｂが配置されている。
また、左テンプル基体１２１には、制御ユニット１２２の基板が配置される領域において、第１のボタン１２３ａよりもヒンジＨＬ１から離間した位置に、スライドスイッチである電源スイッチ１２３ｃが配置されている。
【００４６】
なお、本実施例では、電源スイッチ１２３ｃをスライドスイッチとしたが、これに限ることなく、例えば、非接触式のタッチセンサー、プッシュスイッチなどの任意のスイッチとしてもよい。
また、電源のＯＮ／ＯＦＦは、電源スイッチ１２３ｃに加えて、電源ユニット１１２内の過充電及び過放電を保護する回路に搭載されている電子回路により行うようにしてもよい。あるいは、二次電池１１２ｂの電池保護回路１１２ｄにより、電池電圧の低下時に自動的にＯＦＦにし、充電により電池電圧が復帰した場合には自動的にＯＮにするようにしてもよい。
【００４７】
更に、本実施例では、制御ユニット１２２の筐体としてリブ構造体を用いたが、これに限ることなく、例えば、ネジ止め、はめ込み、接着等により機械的強度を持たせる構造体としてもよい。
【００４８】
操作部１２３は、第１のボタン１２３ａ及び第２のボタン１２３ｂを有する。
第１のボタン１２３ａ及び第２のボタン１２３ｂは、ユーザが押下することにより、ＥＣレンズ１４０に印加する電圧を変化させ、ＥＣレンズ１４０の光の透過率を制御する。ＥＣレンズ１４０における光の透過率の制御は、具体的には、ＥＣレンズ１４０に電圧を印加することで、後述するＥＣレンズ１４０のエレクトロクロミック層が電子の授受により酸化還元反応して発消色することを利用する。これにより、ＥＣレンズ１４０の光の透過率を変化させることができる。
また、第１のボタン１２３ａ及び第２のボタン１２３ｂは、ユーザが操作することから、ある程度の力が加わるためリブ構造体に保持部を設けて機械的強度を確保している。
【００４９】
第１のボタン１２３ａ及び第２のボタン１２３ｂは、本実施例のメガネ型デバイスをユーザが掛けたときに左テンプル１２０の下面に配置されている。これにより、ユーザが操作時に指で第１のボタン１２３ａ及び第２のボタン１２３ｂを挟んで操作しやすくなるとともに、各ボタンと左テンプル基体１２１との隙間よりゴミ、髪の毛などが侵入しにくくなる。
なお、本実施例では、メガネ型デバイスをユーザが掛けたときに操作部のボタンをテンプルの下面に配置するようにしたが、これに限ることなく、例えば、テンプルの顔面側とは反対の側面、上面、及び下面の少なくともいずれかにを配置してもよい。
【００５０】
第１のボタン１２３ａ及び第２のボタン１２３ｂは、電源スイッチ１２３ｃよりも重いためヒンジＨＬ１近傍に配置され、制御ユニット１２２の重心をヒンジＨＲ１の近傍としている。
【００５１】
なお、電源ユニット１１２及び制御ユニット１２２は、電子回路部に雨などの水が浸入して故障しないように、防水機能を有するようにしてもよい。
また、制御ユニット１２２には、電源のＯＮ／ＯＦＦを示すランプや駆動時の動作を示すインジケータ類などを更に配置してもよい。
【００５２】
本実施例のメガネ型デバイスでは、前述のように、電源ユニット１１２の重心がヒンジより離間した位置にあり、また制御ユニット１２２の重心がヒンジ近傍の位置にある。このように、制御ユニット１２２の重心位置と電源ユニット１１２の重心位置は、リムの幅方向（長手方向）に対して直交しリムの中央を通過する直線に対して非対称である。すると、メガネ型デバイス全体の荷重が鼻パッド部や耳掛け部に集中してかかることがなく、メガネ型デバイスの荷重を分散することで、装着時の負担を軽減し、掛け心地を向上させることができる。
【００５３】
図５Ａは、前リム、ＥＣレンズ、フレキシブル基板、及び後リムの一例を示す分解立体図である。図５Ｂは、ＥＣレンズとフレキシブル基板との間に配置される導電性ゴムの一例を示す分解立体図である。
フレキシブル基板１５０の正面（一方の面）には、導電性ゴムＧを介してＥＣレンズ１４０の４箇所の導通部１４０Ｒａ、Ｒｂ、Ｌａ、及びＬｂと電気的に接続するための４箇所の導通部１５０Ｒａ、Ｒｂ、Ｌａ、及びＬｂが配置されている。
前リム１３０及び後リム１６０は、ＥＣレンズ１４０及びフレキシブル基板１５０を挟持するように嵌合し、ネジ止めして固定する。このとき、ＥＣレンズ１４０の４箇所の導通部１４０Ｒａ、Ｒｂ、Ｌａ、及びＬｂ、並びにフレキシブル基板１５０の４箇所の導通部１５０Ｒａ、Ｒｂ、Ｌａ、及びＬｂの間に、それぞれシリコン製の４つの導電性ゴムＧを設置する。すると、前リム１３０及び後リム１６０にＥＣレンズ１４０とフレキシブル基板１５０と挟持させる際に、導電性ゴムＧを介してＥＣレンズ１４０とフレキシブル基板１５０とを電気的に接続することができる。
【００５４】
なお、本実施例では、図５Ｂに示したように、例えば、導電性ゴムＧをＥＣレンズ１４０Ｌの導通部１４０Ｌｂとフレキシブル基板１５０の導通部１５０Ｌｂとで挟持する形態のようにしたが、これに限ることなく、他の形態としてもよい。他の形態としては、例えば、ＥＣレンズの両面にフレキシブル基板をそれぞれ配置し、それぞれのＥＣレンズ−フレキシブル基板間に配置した導電性ゴムＧを挟持するようにしてもよい。
【００５５】
なお、本実施例では、前リム１３０及び後リム１６０をネジ止めにしたが、これに限ることなく、例えば、嵌合つめ方式などにしてもよい。
また、本実施例では、ＥＣレンズ１４０とフレキシブル基板１５０との電気的接続に導電性ゴムＧを用いたが、これに限ることなく、例えば、ＥＣレンズ１４０とフレキシブル基板１５０とを電気的に接続させるように直接押圧するようにしてもよい。
更に、本実施例では、リムとブリッジが一体化した構造としたが、これに限ることなく、例えば、リムとブリッジとを組み合わせた構造であっても、リムとブリッジを分割して配線とレンズ保持部を設ける構造としてもよい。
【００５６】
前リム１３０は、幅方向（長手方向）における両端部にヒンジＨＲ２及びヒンジＨＬ２を有する。また、前リム１３０は、鼻パッド部が一体化して形成されている。
なお、本実施例では、鼻パッド部を一体化したものとしたが、これに限ることなく、リムとは別体の鼻パッド部を有するようにしてもよい。
【００５７】
フレキシブル基板１５０の正面（一方の面）には、図５Ｃに示すように、導電性ゴムＧを介してＥＣレンズ１４０の、及びＬｂが配置されている。また、フレキシブル基板１５０の正面には、制御ラインが形成されており、導通部１５０Ｒａ及びＬａは一の制御ラインにより電気的に接続されており、導通部１５０Ｒｂ及びＬｂは他の制御ラインにより電気的に接続されている。
一方、フレキシブル基板１５０の裏面（他方の面）には、図５Ｄに示すように、電源ユニット１１２が制御ユニット１２２を有する操作部に電力を供給するための、１対の導電性を有する電源ラインが形成されている。
すなわち、フレキシブル基板１５０の裏面側には、一方のテンプル部に設けられた電源部と他方のテンプル部に設けられた制御部を電気的に接続する為の第一の導電手段としての第一の導電路対が形成されている。
また、フレキシブル基板１５０の正面側には、テンプルに設けられた制御部とＥＣレンズ部とを電気的に接続する為の第二の導電手段としての第二の導電路対が形成されている。具体的には、フレキシブル基板１５０の正面側において、図８に図示されているように、制御部に設けられた制御ユニット１２２とＥＣレンズ１４０の導通部（還元極）１４０Ｌｂ、１４０Ｒｂとを電気的に接続する導電路と、制御部に設けられた制御ユニット１２２と導通部（酸化極）１４０Ｒａ、１４０Ｌａとを電気的に接続する導電路が設けられている。これらの導電路は、制御部とレンズ部とを電気的に接続する為の第二の導電路対を形成する。
【００５８】
なお、本実施例では、制御ラインと電源ラインとを１つのフレキシブル基板にまとめて配置したが、これに限ることなく、制御ラインと電源ラインとを別個のフレキシブル基板に設けて、それらのフレキシブル基板を重ねて配置してもよい。
【００５９】
図６Ａは、ＥＣレンズの一例を示す概略正面図である。
図６Ａに示すように、ＥＣレンズ１４０は、正面から見た場合には、印加電圧に応じて光の透過率が変化するアクティブ領域が内側に存在する。また、ＥＣレンズ１４０は、層の外周を保護層１４８で覆われており、図６Ａ中の両側面には凸部がそれぞれ設けられており、第１の補助電極１４２ａ及び第２の補助電極１４６ａが配置されている。
【００６０】
なお、保護層１４８で覆われたＥＣレンズ１４０の外周は光の透過率が変化しない領域であるため、ＥＣレンズ１４０の光の透過率を低下させて調光しても、外周から光が進入して調光効果が減少する。このため、不透明に着色した保護層１４８を用いて外周を覆うことや、リムが保護層１４８を隠すようなフレームデザインにすることが好ましい。
【００６１】
図６Ｂは、図６Ａ中のＥＣレンズにおけるＡ−Ａ線の断面の一例を示す概略断面図である。
図６Ｂに示すように、ＥＣレンズ１４０は、第１の透明基板１４１と、第１の透明電極層１４２と、第１の補助電極１４２ａと、エレクトロクロミック層１４３と、電解質層１４４と、劣化防止層１４５と、第２の透明電極層１４６と、第２の補助電極１４６ａと、第２の透明基板１４７とがこの順で積層されている積層体である。また、ＥＣレンズ１４０は、第１の透明基板１４１及び第２の透明基板１４７を除く積層体の側面に、保護層１４８を有する。
【００６２】
また、ＥＣレンズ１４０は、上記積層体を熱成形により加工され、レンズとしての所望の曲面形状を有する。
なお、「所望の曲面形状」は、積層体の少なくとも一部であればよく、全部であってもよい。
【００６３】
ＥＣレンズ１４０は、第１の透明電極層１４２と第２の透明電極層１４６とに酸化還元反応に必要な電圧を印加して電荷を注入することで、エレクトロクロミック層１４３が電子の授受により酸化還元反応して発消色する。
【００６４】
具体的には、例えば、第１の透明電極層１４２と第２の透明電極層１４６とに２Ｖ程度の電圧を印加して、エレクトロクロミック層１４３に電子を注入すると、エレクトロクロミック層１４３のエレクトロクロミック材料が還元反応により発色する。その後、エレクトロクロミック材料が還元反応した状態であれば、エレクトロクロミック材料は発色し続ける。そして、第１の透明電極層１４２と第２の透明電極層１４６とに印加する電圧の正負を逆にする、又は短絡すると、エレクトロクロミック層１４３から電子を放出することで、エレクトロクロミック材料は消色して透明となる。
【００６５】
なお、上記とは逆に、エレクトロクロミック材料の特性により、エレクトロクロミック層１４３から電子を放出すると、エレクトロクロミック材料が酸化反応して発色するものもある。この場合には、エレクトロクロミック層１４３から電子が放出された状態であれば、エレクトロクロミック材料は発色し続ける。そして、エレクトロクロミック層１４３に電子を注入すると、エレクトロクロミック材料は消色して透明となる。
【００６６】
−透明基板−
第１の透明基板１４１及び第２の透明基板１４７は、他の層を支持する機能を有する。
第１の補助電極１４２ａ及び第２の補助電極１４６ａは、導電性ゴムＧとのコンタクト抵抗を低減するために設けられている。
【００６７】
なお、透明基板の材料としては、特に制限はなく、目的に応じて適宜選択することができ、例えば、ポリカーボネイト樹脂、アクリル樹脂、ポリエチレン樹脂、ポリ塩化ビニル樹脂、ポリエステル樹脂、エポキシ樹脂、メラミン樹脂、フェノール樹脂、ポリウレタン樹脂、ポリイミド樹脂等の樹脂基板などが挙げられる。また、透明基板の表面に、水蒸気バリア性、ガスバリア性、視認性を高めるために透明絶縁性無機粒子層、反射防止層等がコーティングされていてもよい。
【００６８】
−透明電極層−
第１の透明電極層１４２と第２の透明電極層１４６は、エレクトロクロミック材料を発消色させるために電圧を印加される。
【００６９】
透明電極層の材料としては、特に制限はなく、目的に応じて適宜選択することができ、例えば、スズをドープした酸化インジウム（「ＩＴＯ」と称することもある）、フッ素をドープした酸化スズ（「ＦＴＯ」と称することもある）、アンチモンをドープした酸化スズ（「ＡＴＯ」と称することもある）などが挙げられる。
【００７０】
透明電極層の平均厚みとしては、特に制限はなく、目的に応じて適宜選択することができるが、エレクトロクロミック層の酸化還元反応に必要な電気抵抗値が得られるように調整されることが好ましく、ＩＴＯを用いた場合には、５０ｎｍ以上５００ｎｍ以下が好ましい。
【００７１】
−エレクトロクロミック層−
エレクトロクロミック層１４３は、エレクトロクロミック材料を含む層である。
エレクトロクロミック材料としては、特に制限はなく、目的に応じて適宜選択することができ、例えば、無機エレクトロクロミック化合物、有機エレクトロクロミック化合物、エレクトロクロミズムを示すことで知られる導電性高分子などが挙げられる。
【００７２】
無機エレクトロクロミック化合物としては、例えば、酸化タングステン、酸化モリブデン、酸化イリジウム、酸化チタンなどが挙げられる。
有機エレクトロクロミック化合物としては、例えば、ビオロゲン、希土類フタロシアニン、スチリル、トリフェニルアミン、又はそれらの誘導体などが挙げられる。
導電性高分子としては、例えば、ポリピロール、ポリチオフェン、ポリアニリン、又はそれらの誘導体などが挙げられる。
【００７３】
エレクトロクロミック層の平均厚みとしては、特に制限はなく、目的に応じて適宜選択することができるが、０．２μｍ以上５．０μｍ以下が好ましい。エレクトロクロミック層の平均厚みが０．２μｍ未満であると、発色濃度が得にくくなることがあり、５．０μｍを超えると、製造コストが増大すると共に、発色によって視認性が低下しやすいことがある。
【００７４】
−電解質層−
電解質層１４４は、第１の透明電極層１４２と第２の透明電極層１４６との間に充填され形成される。
電解質層１４４は、第１の透明電極層１４２、エレクトロクロミック層１４３、劣化防止層１４５、及び第２の透明電極層１４６の各層間での電子の移動を行うためのイオン伝導を担う層である。ＥＣレンズ１４０では、酸化極である第１の透明電極層１４２と還元極である第２の透明電極層１４６とに電圧が印加されると、電子が各層間で移動し、電圧の印加方向によりエレクトロクロミック層１４３が電子の授受により酸化還元反応して発消色する。
【００７５】
電解質層に含有する電解質としては、固体電解質を溶媒に溶解した溶液、又はイオン液体等の液体電解質が用いられる。
電解質の材料としては、例えば、アルカリ金属塩、アルカリ土類金属塩等の無機イオン塩、４級アンモニウム塩や酸類、アルカリ類の支持塩を用いることができる。具体的には、ＬｉＣｌＯ４、ＬｉＢＦ４、ＬｉＡｓＦ６、ＬｉＰＦ６、ＬｉＣＦ３ＳＯ３、ＬｉＣＦ３ＣＯＯ、ＫＣｌ、ＮａＣｌＯ３、ＮａＣｌ、ＮａＢＦ４、ＮａＳＣＮ、ＫＢＦ４、Ｍｇ（ＣｌＯ４）２、Ｍｇ（ＢＦ４）２などが挙げられる。これらは、１種を単独で使用しても、２種以上を併用してもよい。また、これらのカチオン成分とアニオン成分を組み合わせて処方したイオン液体を用いることができる。
【００７６】
固体電解質を溶解させる溶媒としては、例えば、プロピレンカーボネート、アセトニトリル、γ−ブチロラクトン、エチレンカーボネート、スルホラン、ジオキソラン、テトラヒドロフラン、２−メチルテトラヒドロフラン、ジメチルスルホキシド、１，２−ジメトキシエタン、１，２−エトキシメトキシエタン、ポリエチレングリコール、アルコール類などが挙げられる。これらは、１種を単独で使用しても、２種以上を併用してもよい。
【００７７】
イオン液体としては、特に制限はなく、一般的に研究・報告されている物質を適宜用いることができる。
有機のイオン液体には、室温を含む幅広い温度領域で液体状態を示すものがあり、カチオン成分とアニオン成分からなる。
【００７８】
カチオン成分としては、例えば、Ｎ，Ｎ−ジメチルイミダゾール塩、Ｎ，Ｎ−メチルエチルイミダゾール塩、Ｎ，Ｎ−メチルプロピルイミダゾール塩等のイミダゾール誘導体；Ｎ，Ｎ−ジメチルピリジニウム塩、Ｎ，Ｎ−メチルプロピルピリジニウム塩等のピリジニウム誘導体等の芳香族系の塩；トリメチルプロピルアンモニウム塩、トリメチルヘキシルアンモニウム塩、トリエチルヘキシルアンモニウム塩等のテトラアルキルアンモニウム等の脂肪族４級アンモニウム系化合物などが挙げられる。これらは、１種を単独で使用しても、２種以上を併用してもよい。
【００７９】
アニオン成分としては、大気中の安定性の面でフッ素を含んだ化合物が好ましく、例えば、ＢＦ４−、ＣＦ３ＳＯ３−、ＰＦ４−、（ＣＦ３ＳＯ２）２Ｎ−、Ｂ（ＣＮ４）−などが挙げられる。
【００８０】
電解質層としては、固体電解質が好ましく、その場合は、光又は熱硬化型樹脂中に電解質を保持した膜として形成される。
硬化型樹脂、電解液、更に添加物として光学透明な無機微粒子などを混合した溶液を第１のエレクトロクロミック層と劣化防止層の間に形成した後、光又は熱により硬化させることが好ましい。
硬化型樹脂としては、例えば、アクリル樹脂、ウレタン樹脂、エポキシ樹脂、塩化ビニル樹脂、エチレン樹脂、メラミン樹脂、フェノール樹脂等の光硬化型樹脂、熱硬化型樹脂などの一般的な材料が挙げられる。これらの中でも、電解質との相溶性の高い材料が好ましい。
このような材料としては、ポリエチレングリコール、ポリプロピレングリコール等のエチレングリコールの誘導体が挙げられる。また、前記硬化型樹脂として光硬化可能な樹脂を用いることが好ましい。熱重合や溶剤を蒸発させて薄膜化する方法に比べて、低温かつ短時間でエレクトロクロミック素子を製造できるためである。
【００８１】
電解質層の平均厚みは、特に制限はなく、目的に応じて適宜選択することができるが、１００ｎｍ以上１０μｍ以下が好ましい。
【００８２】
−劣化防止層−
劣化防止層１４５の役割としては、エレクトロクロミック層１４３と逆の化学反応をして電荷のバランスをとることにより、第２の透明電極層１４６が不可逆的な酸化還元反応で腐食や劣化することを抑制して、ＥＣレンズ１４０の繰り返し安定性を向上させる。このため、劣化防止層１４５の材料としては、例えば、エレクトロクロミック層１４３の材料が酸化発色型の場合、劣化防止層１４５の材料として還元反応できる材料であることが好ましい。
なお、エレクトロクロミック層１４３と逆の化学反応とは、劣化防止層１４５が酸化還元する場合に加え、キャパシタとして作用することも含む。
【００８３】
劣化防止層の材料としては、特に制限はなく、目的に応じて適宜選択することができ、無機化合物及び有機化合物のいずれを用いてもよく、例えば、エレクトロクロミック層と同様の材料を選択することができる。
【００８４】
−保護層−
保護層１４８は、外的応力、及び洗浄工程の薬品からＥＣレンズ１４０を守ることができ、また、電解質の漏洩を防ぐことができ、更に大気中の水分や酸素などＥＣレンズ１４０が安定的に動作するために不要なものの侵入を防ぐことができる。
【００８５】
保護層の材料としては、特に制限はなく、目的に応じて適宜選択することができ、例えば、紫外線硬化接着剤、熱硬化型樹脂などが挙げられる。
【００８６】
保護層の平均厚みとしては、特に制限はなく、目的に応じて適宜選択することができるが、１μｍ以上２００μｍ以下が好ましい。
【００８７】
図７は、ＥＣレンズにおける酸化極及び還元極の位置の一例を示す概略正面図である。
図７に示すように、本実施例では、２つのＥＣレンズ１４０Ｒ及び１４０Ｌにおいて、互いに近接する導通部１４０Ｒａ及び１４０Ｌａを酸化極とし、互いに離間する導通部１４０Ｒｂ及び１４Ｌｂを還元極とした。
なお、本実施例では、２つのＥＣレンズにおいて、互いに近接する導通部を酸化極とし、互いに離間する導通部を還元極としたが、これに限ることなく、適宜配置する位置を選択することができる。
【００８８】
図８は、メガネ型デバイスにおける各部位との電気的な接続の一例を示す接続図である。
図８に示すように、電源ユニット１１２の二次電池１１２ｂは、電池保護回路１１２ｄを介してフレキシブル基板１５０に設けられた１対の電源ラインに電気的に接続されている。また、１対の電源ラインは、制御ユニット１２２と電気的に接続されている。これにより、電源ユニット１１２は、制御ユニット１２２に電力を供給することができる。
【００８９】
制御ユニット１２２は、フレキシブル基板１５０に設けられた一の制御ラインを介し、また導電性ゴムＧを介して、左右のＥＣレンズ１４０Ｒ及び１４０Ｌの酸化極である導通部１４０Ｒａ及び１４０Ｌａとそれぞれ接続されている。また、制御ユニット１２２は、他の制御ラインを介し、また導電性ゴムＧを介して、左右のＥＣレンズ１４０Ｒ及び１４０Ｌの還元極である導通部１４０Ｒｂ及び１４０Ｌｂとそれぞれ接続されている。これにより、制御ユニット１２２は、左右のＥＣレンズ１４０Ｒ及び１４０Ｌに同じ電圧を印加して同じ電位差を生じさせることができるため、ＥＣレンズ１４０Ｒ及び１４０Ｌの光の透過率を同時にかつ同様に変化させることができる。ＥＣレンズ１４０Ｒ及び１４０Ｌに印加する電圧の変化は、ユーザにより第１のボタン１２３ａ又は第２のボタン１２３ｂを押下されることにより行われる。
【００９０】
（充電器）
図９Ａは、充電時に充電器に係合された右テンプルの一例を示す斜視図である。図９Ｂは、図９Ａの視点を変えたときの右テンプルの一例を示す斜視図である。図９Ｃは、右テンプルの一例を示す概略上面図である。
図２０は、充電器をテンプルに係合した状態の充電器上面を示す図である。
図２１は、充電器をテンプルに係合した状態の充電器下面を示す図である。
図９Ａ〜図９Ｃに示すように、充電器２００は、係合部としてのガイド構造２０１と、充電器２００に埋設されている送電コイル２０２と、送電コイル２０２に高周波の電流を流すための回路などが設けられている台座とを有する。
【００９１】
ガイド構造２０１は、充電時において、電源ユニット１１２の受電コイル１１２ｃの中心と、充電器２００の送電コイル２０２の中心とを正確に位置合わせし、効率的な充電を行うために設けられている。正確に位置合わせするために、ガイド構造２０１は、右テンプル基体１１１の長手方向における中央付近の曲線に合わせて係合する形状を有する。
【００９２】
充電する際には、テンプル突き当て部２０１ｃ及び２０１ｄに右テンプル基体１１１の曲線を合わせるように突き当て、第１のつめ部２０１ａと第２のつめ部２０１ｂで右テンプル基体１１１を係合する。
【００９３】
充電器２００の電源としては、特に制限はなく、目的に応じて適宜選択することができ、例えば、コンセント等の外部電源、充電専用の電池などとしてもよい。
【００９４】
なお、充電器２００は、メガネ型デバイス１００を載置可能な台座を備えるようにしてもよい。これにより、充電時にメガネ型デバイス１００を台座に載置することで、受電コイル１１２ｃの中心と送電コイル２０２の中心とを正確に位置合わせした状態を維持しながら安定して充電することができる。
【００９５】
以上説明したように、本発明実施例のメガネ型デバイスは、２つのテンプルのいずれか１つに受電コイルを配置することにより、充電器のサイズを小さくでき、かつ部品点数を少なくすることができるため、小型で安価な充電器にすることができる。
また、本発明実施例のメガネ型デバイスは、受電コイルが配置されているテンプルの形状に合わせて充電器と係合させるため、正確な位置合わせができ、効率よく充電できる。
更に、本発明実施例のメガネ型デバイスは、一方のテンプルに受電コイルなどを備える電源部を設け、他方のテンプルにスイッチ類を備える制御部を設けていることにより、左右の重量バランスを均等に近づけることができる。そして、本発明実施例のメガネ型デバイスは、各部材を配置する位置により、電源部の重心位置と制御部の重心位置を、リムの幅方向（長手方向）に対して直交しリムの中央を通過する直線に対して非対称とする。これにより、本発明実施例のメガネ型デバイスは、鼻パッド部(クリングス部)及び耳掛け部（モダン、先セル）のいずれかにメガネ型デバイスの荷重を極端にかかりにくくしたことにより、掛け心地を向上させ、長時間装着しても快適に過ごすことができる。
【００９６】
なお、本実施例では、電気活性レンズとしてエレクトロクロミック素子を用いたレンズとしたが、これに限ることなく、例えば、液晶素子を用いたレンズなどとしてもよい。この場合、エレクトロクロミック素子と液晶素子とを比較すると、駆動電圧及び消費電力の点で異なる。具体的な駆動電圧としては、液晶素子の端子間に印加する電圧は３Ｖ〜５Ｖが一般的であり、エレクトロクロミック素子の端子間に印加する電圧は２Ｖ以下である。また、消費電力は、液晶素子は駆動時に電圧を印加し続ける必要があるため大きくなりやすいが、エレクトロクロミック素子は駆動時にパルス駆動などにより低減することが可能である。
【００９７】
なお、本実施例では、ＥＣレンズを用いたメガネ型デバイスを例に説明したが、これに限ることなく、例えば、スピーカー等の音を発生する手段を有するメガネ型デバイスに応用してもよい。また、他の例としては、モニター等の画像を表示する手段を有するメガネ型デバイスや、生体センサ等の検知手段を有するメガネ型デバイスに応用してもよい。
【００９８】
本発明実施例の態様としては、例えば、以下のとおりである。
＜１＞  レンズを支持するレンズ支持体と、ヒンジを介して前記レンズ支持体にそれぞれ取り付けられる２つのテンプルとを有するメガネ型デバイスであって、
一方のテンプルに電源部を設け、他方のテンプルに操作手段を有する制御部を設け、
前記電源部及び前記制御部が、２つのテンプルの耳掛け部よりヒンジ側に配置されていることを特徴とするメガネ型デバイスである。
＜２＞  一方のテンプルに電源部を設け、他方のテンプルに制御部を設け、
更に、前記電源部と前記制御部を電気的に接続するための第一の導電手段と、前記制御部とレンズ部とを電気的に接続するための第二の導電手段とを設けた前記＜１＞に記載のメガネ型デバイスである。
＜３＞  一方のテンプルのレンズ支持体側端部から前記一方のテンプルの重心位置までの距離と、他方のテンプルのレンズ支持体側端部から前記他方のテンプルの重心位置までの距離を異ならせた前記＜１＞に記載のメガネ型デバイスである。
＜４＞  無線給電により受電する前記＜１＞から＜３＞のいずれかに記載のメガネ型デバイスである。
＜５＞  ２つのテンプルのうち、右テンプルに電源部を設け、左テンプルに制御部を設ける前記＜１＞から＜４＞のいずれかに記載のメガネ型デバイスである。
＜６＞  ２つのテンプルのうち、右テンプルに制御部を設け、左テンプルに電源部を設ける前記＜１＞から＜４＞のいずれかに記載のメガネ型デバイスである。
＜７＞  前記耳掛け部が形状を変更可能である前記＜１＞から＜６＞のいずれかに記載のメガネ型デバイスである。
＜８＞  前記＜２＞に記載のメガネ型デバイスを充電可能な充電器であって、
前記テンプルの前記電源部に設けられた受電コイルに対して無線送電可能な送電コイルと、
前記受電コイルが設けられている前記テンプルの形状に沿って前記テンプルと係合する係合部と、
を有することを特徴とする充電器である。
【００９９】
前記＜１＞から＜７＞のいずれかに記載のメガネ型デバイス、及び前記＜８＞に記載の充電器によれば、従来における前記諸問題を解決し、前記本発明の目的を達成することができる。
【符号の説明】
【０１００】
１００      メガネ型デバイス
１１０      右テンプル
１１２      電源ユニット（電源部の一部）
１１２ａ    回路基板
１１２ｂ    二次電池
１１２ｃ    受電コイル
１２０      左テンプル
１２２      制御ユニット（制御部の一部）
１２３ａ    第１のボタン（操作手段の一例）
１２３ｂ    第２のボタン（操作手段の一例）
１２３ｃ    電源スイッチ
１３０      前リム
１４０      ＥＣレンズ（レンズの一例）
１６０      後リム
２００      充電器
２０１      ガイド構造（係合部の一例）
２０１ａ    第１のつめ部
２０１ｂ    第２のつめ部
２０１ｃ、２０１ｄ    テンプル突き当て部
２０２      送電コイル
ＨＲ１、ＨＲ２、ＨＬ１、ＨＬ２      ヒンジ
【先行技術文献】
【特許文献】
【０１０１】
【特許文献１】特表２０１３−５１３２７５号公報
【特許文献２】特開２０１４−１６４４４９号公報
【特許文献３】特開２０１７−１０４２３９号公報
【特許文献４】特開２０１８−１００８４号公報
【特許文献５】特表２０１２−５１４７７３号公報
【図１】
2020027271.tif 000003
【図２Ａ】
2020027271.tif 000004
【図２Ｂ】
2020027271.tif 000005
【図３】
2020027271.tif 000006
【図４Ａ】
2020027271.tif 000007
【図４Ｂ】
2020027271.tif 000008
【図４Ｃ】
2020027271.tif 000009
【図５Ａ】
2020027271.tif 000010
【図５Ｂ】
2020027271.tif 000011
【図５Ｃ】
2020027271.tif 000012
【図５Ｄ】
2020027271.tif 000013
【図６Ａ】
2020027271.tif 000014
【図６Ｂ】
2020027271.tif 000015
【図７】
2020027271.tif 000016
【図８】
2020027271.tif 000017
【図９Ａ】
2020027271.tif 000018
【図９Ｂ】
2020027271.tif 000019
【図９Ｃ】
2020027271.tif 000020
【図１０】
2020027271.tif 000021
【図１１】
2020027271.tif 000022
【図１２】
2020027271.tif 000023
【図１３】
2020027271.tif 000024
【図１４】
2020027271.tif 000025
【図１５】
2020027271.tif 000026
【図１６】
2020027271.tif 000027
【図１７】
2020027271.tif 000028
【図１８】
2020027271.tif 000029
【図１９】
2020027271.tif 000030
【図２０】
2020027271.tif 000031
【図２１】
2020027271.tif 000032